(57)【要約】【課題】調光装置の各調光素子における偏光板や位相差板の断裁および／または貼合のずれによって形成される明暗パターンのずれを解消することを可能にする技術を提供する。【解決手段】本開示による調光装置は、第１軸に沿って相対的に移動可能に構成された第１の調光板と、第２の調光板と、を備える。第１の調光板は、第２の調光板に少なくとも部分的に対面し、第１軸の第１側に位置する第１端部と、第１軸または第１軸と交差する第２軸に沿って交互に配置され、互いに光学特性が異なる第１領域および第２領域と、を有する。第２の調光板は、第１軸の第１側に位置する第２端部と、第１軸又は第２軸に沿って交互に配置され、互いに光学特性が異なる第３領域および第４領域と、を有する。第１端部と、第１端部に最も近接する第１領域と第２領域の境界と、の距離をＬ１、第２端部と、第２端部に最も近接する第３領域と第４領域との境界と、の距離をＬ２、としたとき、Ｌ１≦Ｌ２を満たしている。【選択図】図１０
2018146846.tif 000002
【特許請求の範囲】
【請求項１】
第１軸に沿って相対的に移動可能に構成された、第１の調光板及び第２の調光板を備え、
前記第１の調光板は、前記第２の調光板に少なくとも部分的に対面し、
前記第１軸の第１側に位置する第１端部と、
前記第１軸または前記第１軸と交差する第２軸に沿って交互に配置され、互いに光学特性が異なる第１領域および第２領域と、を有し、
前記第２の調光板は、
前記第１軸の前記第１側に位置する第２端部と、
前記第１軸または前記第２軸に沿って交互に配置され、互いに光学特性が異なる第３領域および第４領域と、を有し、
前記第１端部と、前記第１端部に最も近接する前記第１領域と前記第２領域の境界と、の距離をＬ１、前記第２端部と、前記第２端部に最も近接する前記第３領域と前記第４領域との境界と、の距離をＬ２、としたとき、Ｌ１≦Ｌ２を満たす、調光装置。
【請求項２】
前記第１の調光板は、前記第１軸に沿って移動可能に構成されており、
前記第２の調光板は、前記第１の調光板よりも前記第１軸の方向の幅が大きい、請求項１記載の調光装置。
【請求項３】
請求項１又は２において、
前記第１軸または前記第２軸の方向における、前記第１領域から前記第４領域の幅をＷとすると、Ｌ２−Ｌ１＜Ｗ／２を満たす、調光装置。
【請求項４】
請求項１〜３のいずれか一項において、
Ｌ２−Ｌ１≦２．０ｍｍである、調光装置。
【請求項５】
請求項１又は２において、
前記第１の調光板は、前記第１軸の第１側に位置する第１辺部を有する第１基板と、第１光学フィルムと、を含み、
前記第２の調光板は、前記第１軸の第１側に位置する第２辺部を有する第２基板と、第２光学フィルムと、を含み、
前記第１光学フィルムは、前記第１基板に配置された前記第１領域および第２領域を含み、
前記第２光学フィルムは、前記第２基板に配置された前記第３領域および第４領域を含み、
前記第２基板は、前記第１基板よりも、前記第１軸の方向の幅が大きく、
前記第１辺部と、前記第１辺部に最も近接する前記第１領域と前記第２領域の境界との距離をＭ１、前記第２辺部と、前記第２辺部に最も近接する前記第３領域と前記第４領域との境界をＭ２、としたとき、Ｍ１≦Ｍ２を満たす、調光装置。
【請求項６】
請求項１又は２において、
前記第１軸または前記第２軸に沿った、前記第１領域から前記第４領域の幅をＷとすると、Ｍ２−Ｍ１＜Ｗ／２を満たす、調光装置。
【請求項７】
第１軸に沿って相対的に移動可能に構成された、第１の調光板及び第２の調光板と、
前記第１の調光板と、前記第２の調光板と、を収容する筐体と、を備え、
前記第１の調光板は、前記第２の調光板に少なくとも部分的に対面し、
前記筐体の内部端面は、前記第１軸の第１側において、前記第１の調光板および前記第２の調光板と接触するように構成され、
前記第１の調光板は、
前記第１軸または前記第１軸と交差する第２軸に沿って交互に配置され、互いに光学特性が異なる第１領域および第２領域、を有し、
前記第２の調光板は、
前記第１軸または前記第２軸に沿って交互に配置され、互いに光学特性が異なる第３領域および第４領域を有し、
前記第１の調光板および前記第２の調光板を前記筐体に接触させた状態において、前記筐体の内部端面と、前記筐体の内部端面に最も近接する前記第１領域と前記第２領域の境界と、の距離とをＮ１、前記筐体の内部端面と、前記筐体の内部端面に最も近接する前記第３領域と前記第４領域の境界と、の距離とをＮ２、としたとき、Ｎ１≦Ｎ２を満たす、調光装置。
【請求項８】
請求項７において、
前記第１の調光板は、前記第１軸に沿って移動可能に構成されている、請求項７記載の調光装置。
【請求項９】
請求項７又は８において、
前記第１軸または前記第２軸の方向における、前記第１領域から前記第４領域の幅をＷとすると、Ｎ２−Ｎ１＜Ｗ／２を満たす、調光装置。
【請求項１０】
請求項７〜９のいずれか一項において、
さらに、前記筐体の内部端面から突出可能なように設けられ、前記第１側に対向する第２側に向かって前記第１の調光板を変位させるように構成された調整具を備え、
前記調整具の突出端部と、当該突出端部に最も近接する前記第１領域と前記第２領域の境界と、の距離Ｄ１と、前記突出端部と、前記突出端部に最も近接する前記第３領域と前記第４領域の境界と、の距離Ｄ２とが、Ｄ１≦Ｄ２となるように、前記調整具が前記筐体の内部端面から突出する、調光装置。
【請求項１１】
請求項１０において、
Ｄ２−Ｄ１≦２．０ｍｍである、調光装置。
【請求項１２】
面内遅相軸が周期的に変化する領域を備える第１の調光板及び第２の調光板を少なくとも部分的に対面させながら互いの重なる領域を変化させることにより、光透過率が階調変化する調光装置であって、
前記第１の調光板及び前記第２の調光板は、第１軸に沿って相対的に移動可能に構成され、
前記第１の調光板は、前記第１軸の第１側に位置する第１端部を有し、
前記第２の調光板は、前記第１軸の前記第１側に位置する第２端部を有し、
前記第１の調光板の前記第１端部と、前記第２調光板の前記第２端部とを基準位置に合わせ、前記第１の調光板又は前記第２の調光板を前記第１軸に沿って移動させたときに前記調光装置の光透過率が増加して最大となるように変化する、又は、前記調光装置の光透過率が減少して最小となるように変化する、調光装置。
【請求項１３】
第１の調光フィルムと、
第２の調光フィルムと、を備え、
前記第１の調光フィルムは、
第１軸の第１側に位置する第１端部と、
前記第１軸または前記第１軸と交差する第２軸に沿って交互に配置され、互いに光学特性が異なる第１領域および第２領域と、を有し、
前記第２の調光フィルムは、
前記第１の調光フィルムよりも前記第１軸の方向の幅が大きく、
前記第１軸の前記第１側に位置する第２端部と、
前記第１軸または前記第２軸に沿って交互に配置され、互いに光学特性が異なる第３領域および第４領域と、を有し、
前記第１端部と、前記第１端部に最も近接する前記第１領域と前記第２領域の境界と、の距離をＬ１、前記第２端部と、前記第２端部に最も近接する前記第３領域と前記第４領域との境界と、の距離をＬ２、としたとき、Ｌ１≦Ｌ２を満たす、調光フィルムセット。
【請求項１４】
面内遅相軸が周期的に変化する領域を備える第１の調光フィルムと、
面内遅相軸が周期的に変化する領域を備える第２の調光フィルムと、を備え、
前記第１の調光フィルムは、第１軸の第１側に位置する第１端部を有し、
前記第２の調光フィルムは、前記第１軸の前記第１側に位置する第２端部を有し、
前記第１の調光フィルムの前記第１端部と、前記第２調光フィルムの前記第２端部とを基準位置に合わせ、前記第１の調光フィルム又は前記第２の調光フィルムを前記第１軸に沿って移動させたときに前記第１調光フィルム及び前記第２調光フィルムを透過する光透過率が増加して最大となるように変化する、又は、前記調光装置の光透過率が減少して最小となるように変化する、調光フィルムセット。
【発明の詳細な説明】
【技術分野】
【０００１】
本開示は、調光装置、調光フィルムセットに関する。
【背景技術】
【０００２】
特許文献１には、偏光板とパターン位相差板が各調光素子に貼合され、調光素子をスライドさせて各位相差板の光学軸の成す角を変化させることにより、明暗を切り替え、或いは連続的に透過率を変化させるように構成された調光装置が開示されている。
【先行技術文献】
【特許文献】
【０００３】
【特許文献１】特表２０１４−５０７６７６号公報
【発明の概要】
【発明が解決しようとする課題】
【０００４】
特許文献１に開示されるような調光装置では、各調光素子におけるフィルム状の偏光板やフィルム状のパターン位相差板の断裁精度や貼合精度の差異がある場合、調光素子をスライドさせて生じさせる明暗パターンにずれが生じてしまう。その一方、複数の調光素子間で断裁精度及び貼合精度を合わせることは非常に難しく、可能であったとしても製造コストが高くなってしまう可能性がある。このため、複数の調光素子間で偏光板や位相差板の断裁精度や貼合精度の差異があることを前提として、如何に上記明暗パターンのずれを生じさせない、あるいは解消させるかが課題である。
【０００５】
本開示は、調光装置の各調光素子における偏光板や位相差板の断裁および／または貼合のずれによって形成される明暗パターンのずれを解消することを可能にする技術を提供する。
【課題を解決するための手段】
【０００６】
（１）上記課題を解決するために、本開示による調光装置は、第１軸に沿って相対的に移動可能に構成された第１の調光板及び第２の調光板を備え、
第１の調光板は、第２の調光板に少なくとも部分的に対面し、第１軸の第１側に位置する第１端部と、第１軸または第１軸と交差する第２軸に沿って交互に配置され、互いに光学特性が異なる第１領域および第２領域と、を有し、
第２の調光板は、第１軸の第１側に位置する第２端部と、第１軸又は第２軸に沿って交互に配置され、互いに光学特性が異なる第３領域および第４領域と、を有し、
第１端部と、第１端部に最も近接する第１領域と第２領域の境界と、の距離をＬ１、第２端部と、第２端部に最も近接する第３領域と第４領域との境界と、の距離をＬ２、としたとき、Ｌ１≦Ｌ２を満たしている。
【０００７】
（２）本開示による別形態の調光装置は、第１軸に沿って相対的に移動可能に構成された第１の調光板及び第２の調光板と、第１の調光板と、第２の調光板と、を収容する筐体と、を備え、
第１の調光板は、第２の調光板に少なくとも部分的に対面し、筐体の内部端面は、第１軸の第１側において、第１の調光板および第２の調光板と接触するように構成され、
第１の調光板は、第１軸または第１軸と交差する第２軸に沿って交互に配置され、互いに光学特性が異なる第１領域および第２領域、を有し、
第２の調光板は、第１軸または第２軸に沿って交互に配置され、互いに光学特性が異なる第３領域および第４領域を有し、
第１の調光板および第２の調光板を筐体に接触させた状態において、筐体の内部端面と、筐体の内部端面に最も近接する第１領域と第２領域の境界と、の距離とをＮ１、筐体の内部端面と、筐体の内部端面に最も近接する第３領域と第４領域の境界と、の距離とをＮ２、としたとき、Ｎ１≦Ｎ２を満たしている。
【０００８】
（３）本開示による別形態の調光装置は、面内遅相軸が周期的に変化する領域を備える第１の調光板及び第２の調光板を少なくとも部分的に対面させながら互いの重なる領域を変化させることにより、光透過率が階調変化する調光装置であって、
第１の調光板及び第２の調光板は、第１軸に沿って相対的に移動可能に構成され、
第１の調光板は、第１軸の第１側に位置する第１端部を有し、
第２の調光板は、第１軸の第１側に位置する第２端部を有し、
第１の調光板の第１端部と、第２調光板の第２端部とを基準位置に合わせ、第１の調光板又は第２の調光板を第１軸に沿って移動させたときに調光装置の光透過率が増加して最大となるように変化する、又は、調光装置の光透過率が減少して最小となるように変化する。
【０００９】
（４）本開示による調光フィルムセットは、第１の調光フィルムと、第２の調光フィルムと、を備え、
第１の調光フィルムは、第１軸の第１側に位置する第１端部と、第１軸または第１軸と交差する第２軸に沿って交互に配置され、互いに光学特性が異なる第１領域および第２領域と、を有し、
第２の調光フィルムは、第１の調光フィルムよりも第１軸の方向の幅が大きく、第１軸の第１側に位置する第２端部と、第１軸または第２軸に沿って交互に配置され、互いに光学特性が異なる第３領域および第４領域と、を有し、
第１端部と、第１端部に最も近接する第１領域と第２領域の境界と、の距離をＬ１、第２端部と、第２端部に最も近接する第３領域と第４領域との境界と、の距離をＬ２、としたとき、Ｌ１≦Ｌ２を満たしている。
【００１０】
（５）本開示による別形態の調光フィルムセットは、面内遅相軸が周期的に変化する領域を備える第１の調光フィルムと、面内遅相軸が周期的に変化する領域を備える第２の調光フィルムと、を備え、
第１の調光フィルムは、第１軸の第１側に位置する第１端部を有し、第２の調光フィルムは、第１軸の第１側に位置する第２端部を有し、
第１の調光フィルムの第１端部と、第２調光フィルムの第２端部とを基準位置に合わせ、第１の調光フィルム又は第２の調光フィルムを第１軸に沿って移動させたときに第１調光フィルム及び第２調光フィルムを透過する光透過率が増加して最大となるように変化する、又は、調光装置の光透過率が減少して最小となるように変化する。
【００１１】
（６）本開示に関連する更なる特徴は、本明細書の記述、添付図面から明らかになる。また、本開示の態様は、要素及び多様な要素の組み合わせ及び以降の詳細な記述と添付される特許請求の範囲の様態により達成され実現される。
本明細書の記述は典型的な例示に過ぎず、本開示の特許請求の範囲又は適用例を如何なる意味においても限定するものではないことを理解する必要がある。
【発明の効果】
【００１２】
本開示によれば、調光装置の各調光素子における明暗パターンのずれを解消することが可能となる。
【図面の簡単な説明】
【００１３】
【図１】本開示の実施形態による調光装置１の全体構成を示す図である。図１Ａは、光を透過した状態を示している。図１Ｂは、光を遮断した状態を示している。図１Ｃは、調光装置１を構成する調光基板１１を模式的に示している。図１Ｄは、筐体１０内における調光基板１１の配置状態を示している。
【図２】本開示の実施形態による調光装置１に収容されている第１の調光基板１１−１及び第２の調光基板１１−２の概略断面を示す図である。
【図３】図２の詳細断面を示す図である。
【図４】第１位相差層３３の構成例を示す平面図である。
【図５】第１の調光基板１１−１の第１位相差層３３と第２の調光基板１１−２の第２位相差層４３との重なり状態に応じて光の透過率が変化する機能を説明するための断面図である。
【図６】階調タイプの調光基板１１の構成例を示す概略断面図である。
【図７】階調タイプの調光装置１における光透過率の変化を説明するための図である。
【図８】パターニングされた偏光層で調光機能を実現する第１及び第２の調光基板の構成例を示す概略断面図である。
【図９】保護層を備えた調光基板の構成例を示す概略断面図である。
【図１０】基準位置から第２の調光基板１１−２の最左の位相差パターンの右端部までの幅Ｌ２が基準位置から第１の調光基板１１−１の最左の位相差パターンの右端部までの幅Ｌ１以上の場合の位相差パターンの関係を示す図である。
【図１１】基準位置から第１の調光基板１１−１の最左の位相差パターンの右端部までの幅Ｌ１が基準位置から第２の調光基板１１−２の最左の位相差パターンの右端部までの幅Ｌ２未満の場合の位相差パターンの関係を示す図である。
【図１２】第１の調光基板１１−１（可動）の収容位置を調整するために調整具３０１および３０２を設けた例を示す図である。
【図１３】第１の調光基板１１−１（可動）にθ調整用調整具３０３を設ける場合に好適な形態を示す図である。
【図１４】第２の調光基板１１−２（固定）の収容位置を調整するために調整具３０１および３０２を設けた例を示す図である。
【図１５】調光装置１の筐体１０における、調整具３０１から３０３を締結するための貫通穴（ネジ穴）の配置例を示す図（筐体１０の横断面図）である。
【図１６】取っ手部１２を設けた調光基板１１の構成例を示す図である。
【図１７】筺体１０の案内レールに第１の調光基板１１−１（可動）及び第２の調光基板１１−２（固定）を収容する様子を示す図である。
【図１８】調光装置１の図１７におけるＡ−Ａ断面であって、第１の調光基板１１−１と第２の調光基板１１−２との間にギャップ構成手段を設けた例を示す図である。
【図１９】凹部（ざくり）１７０を設けた第１の調光基板１１−１（可動）の構成を説明するための図である。
【発明を実施するための形態】
【００１４】
以下、添付図面を参照して本開示の実施形態について説明する。添付図面では、機能的に同じ要素は同じ番号で表示される場合もある。なお、添付図面は本開示の原理に則った具体的な実施形態と実装例を示しているが、これらは本開示の理解のためのものであり、決して本開示を限定的に解釈するために用いられるものではない。
【００１５】
また、本明細書等において用いる、形状や幾何学的条件並びにそれらの程度を特定する、例えば、「平行」、「直交」、「垂直」、「同一」等の用語や長さや角度の値等については、厳密な意味に縛られることなく、同様の機能を期待し得る程度の範囲を含めて解釈されるべきである。
【００１６】
本明細書等において「〜」を用いて表される数値範囲は、「〜」の前後に記載される数値のそれぞれを下限値及び上限値として含む範囲であることを意味する。
【００１７】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００１８】
本開示の実施形態は、調光部材が複数の調光基板によって構成され、複数の調光基板によって複数の調光部が提供される調光装置に関する。より具体的には、本実施形態は、複数の調光基板が筐体に収容され、各調光基板における偏光板や位相差板の断裁および／または貼合のずれによって形成される明暗パターンのずれを解消することを可能にする調光装置に関する。
【００１９】
＜調光装置の全体構成＞
図１は、本開示の実施形態による調光装置１の全体構成を示す図である。図１Ａは、光を透過した状態を示している。図１Ｂは、光を遮断した状態を示している。図１Ｃは、調光装置１を構成する調光基板１１を模式的に示した図である。図１Ｄは、筐体１０内における調光基板１１の配置状態を示している。
【００２０】
調光装置１は、例えば、筺体（「フレーム」とも言うことができる）１０と、筺体１０に収容された複数の調光基板１１と、取っ手部１２と、を備えている。取っ手部１２は必要に応じて設けられる構成であり、必須ではない。本実施形態では、例えば、２枚の調光基板１１のうち、少なくとも１枚の調光基板１１がスライド移動できるように筐体１０内に収められている。以下では、第１の側に配置された一方の調光基板を第１の調光基板１１−１、第１の側に対向する第２の側に配置されたもう一方の調光基板を第２の調光基板１１−２とする。本実施形態では、例えば、第１の調光基板１１−１をスライド移動可能（可動）とし、第２の調光基板１１−２を固定としている。なお、「可動」あるいは「スライド移動可能」か否かは、相対的な概念であり、第２の調光基板１１−２が全く動かないようにするという意味ではなく、水平方向（Ｘ方向）および垂直方向（Ｙ方向）のそれぞれに適度な遊びを持たせてもよい。つまり、「可動」あるいは「スライド移動可能」とは、調光基板が調光機能を発揮する程度の可動範囲を有していることを意味する。
【００２１】
取っ手部１２を設けた場合、図１Ａ及びＢで示されるように、取っ手部１２は、調光装置１の開口部１０ａ（窓部ともいう）に位置する２枚の調光基板１１のうち、スライド移動可能な第１の調光基板１１−１の第１の側に配置される。取っ手部１２は、例えば、第１の調光基板１１−１の表面に取り付けられている。例えば、開口部が明状態（光透過状態）のときは、取っ手部１２は、筐体１０の内枠右端部１０１に接している（図１Ａ参照）。一方、開口部１０ａが暗状態（遮光状態）のときは、取っ手部１２は、筐体１０の内枠右端部１０１から離れた位置となっている（図１Ｂ参照）。なお、取っ手部１２の位置と開口部１０ａの明暗との関係は、図１Ａ及びＢで示される場合と逆であっても良いし、これらに限らない。なお、明状態（光透過状態）とは光の透過率が最大の状態を指し、一方、暗状態（遮光状態）とは光の透過率が最小の状態を指す。
【００２２】
図１Ｃを参照すると、本実施形態では、第１の調光基板１１−１及び第２の調光基板１１−２は、互いに少なくとも部分的に対面しており、例えば、互いに平行に配置されている。調光装置１では、少なくとも１枚の調光基板１１が所定の移動方向（例えば、図におけるＸ方向）に移動することにより、第１の調光基板１１−１及び第２の調光基板１１−２の両方を透過する光の透過率が、第１の調光基板１１−１及び第２の調光基板１１−２の相対位置に応じて変化する。これにより、調光装置１は、透過光の光量を調整し、遮光と透過の切り替えができるように構成されている。なお、遮光と透過が切り替えられる領域は第１の調光基板１１−１及び第２の調光基板１１−２の全領域でなくても良く、一部の領域であっても良い。つまり、少なくとも１枚の調光基板１１が所定の移動方向（例えば、図におけるＸ方向）に移動することにより、調光基板１１の全面の調光状態が変化する必要は必ずしもなく、一部の領域の調光状態が変化するように構成することも可能である。
【００２３】
図１Ｃや図１Ｄを参照すると、第１の調光基板１１−１の大きさと第２の調光基板１１−２の大きさとは異なっている。例えば、第２の調光基板１１−２を「固定」とする場合、スライド移動可能な第１の調光基板１１−１は、第２の調光基板１１−２よりもスライド移動方向（Ｘ方向）の長さが短く構成されている。つまり、スライド移動可能な第１の調光基板１１−１は、短い長さの分だけ筐体１０内をスライド移動できるようになっている。これにより、調光装置の大型化を抑えつつ、開口部の面積を大きくとることができる。本実施形態では、２枚の調光基板１１−１及び１１−２を筐体１０内に収容しているが、３枚以上の調光基板を筐体１０内に収容するようにしても良い。
【００２４】
また、図１Ｄに示されるように、各調光基板１１−１及び１１−２の上端部及び／又は下端部の少なくとも一部には、各調光基板１１−１及び１１−２のすべりを向上させたり、或いは低下させたりするためのテープ２０が貼り付けられている。当該テープ２０は、例えば、アルミ箔やフッ素系樹脂等、摩擦が少ないもので構成されている。このため、テープ２０を各調光基板１１−１及び１１−２に貼り付けた場合、第１の調光基板１１−１のスライド移動が非常にスムーズとなる。各調光基板１１−１及び１１−２のすべりを低下させるテープとしては、ウレタンゴム等で構成された摩擦が大きいテープが用いられる。このため、テープ２０を各調光基板１１−１及び１１−２に貼り付けた場合、第１の調光基板１１−１が軽量であってもスライド移動の応答性を制御できる。また、テープ２０を各調光基板１１−１及び１１−２に貼り付けると、第１の調光基板１１−１と第２の調光基板１１−２との間にわずかなギャップを形成することが可能となる。従って、第１の調光基板１１−１をスライド移動させたときに各調光基板１１−１及び１１−２が擦れることによってキズが各調光基板１１−１及び１１−２の開口部に形成されるのを防止することができる。
【００２５】
＜調光基板の断面構成＞
図２は、本開示の実施形態による調光装置１に収容されている第１の調光基板１１−１及び第２の調光基板１１−２の概略断面を示す図である。
【００２６】
第１の調光基板１１−１と第２の調光基板１１−２とは、互いに密着していてもよいが、間隔Ｄを開けて筐体１０内に配置されていてもよい。当該間隔Ｄは、上述のように、テープ２０によって形成されるものであっても良いし、スペーサなどによって形成されるものであっても良い。間隔Ｄの値は、例えば、０．２ｍｍ以上２．０ｍｍ以下としてもよい。間隔Ｄが上記下限未満であると調光基板同士が擦れて傷が発生する虞があり、間隔Ｄが上記上限より大きいと調光装置１を斜視したときに光漏れを感じやすくなる虞がある。また、第１の調光基板１１−１は、第１軸方向Ｘに沿って光学特性が変化する複数の第１調光領域１１１を含んでいる。また、第２の調光基板１１−２は、第１軸方向Ｘに沿って光学特性が変化する複数の第２調光領域１１２を含んでいる。第１調光領域１１１及び第２調光領域１１２は共に、一例として、同じ幅を有している。ここで、光学特性が変化するとは、例えば、光学軸（光軸とも呼ばれる）、位相差、複屈折率の中の少なくとも１つが変化することを意味する。図面では、第１の調光基板１１−１及び第２の調光基板１１−２の相対移動する方向と、第１の調光基板１１−１及び第２の調光基板１１−２の光学特性が変化する方向とが一致して図示されているが、これに限定されず、互いに交差していてもよい。例えば、第１の調光基板１１−１及び第２の調光基板１１−２の相対移動する方向と、第１の調光基板１１−１及び第２の調光基板１１−２の光学特性が変化する方向とのなす角が、５°、１０°、１５°、２０°、２５°、３０°、３５°、４０°、４５°等の値を取ってもよい。つまり、第１の調光基板１１−１及び第２の調光基板１１−２の光学特性が第１軸方向と異なる第２軸方向に沿って変化してもよい。なお、第１調光領域１１１及び第２調光領域１１２は、１つの領域分の幅で調光基板１１の１ピッチを構成しているものとする。つまり、第１調光領域１１１及び第２調光領域１１２における、後述の第１領域３４、第２領域３５、第３領域４４、及び第４領域４５のそれぞれがハーフピッチＷに相当する（図３参照）。
【００２７】
図３は、図２の詳細断面を示す図である。第１の調光基板１１−１は、第１調光フィルム３０と、第１基板３１と、を有する。第１調光フィルム３０は、第１偏光層３２と、第１位相差層３３と、を備える。具体的には、第１基板３１上に、第１偏光層３２及び第１位相差層３３が当該順で積層されている。第２の調光基板１１−２は、第２基板４１と、第２偏光層４２と、第２位相差層４３と、を備える。具体的には、第２基板４１上に、第２偏光層４２及び第２位相差層４３が当該順で積層されている。第１の調光基板１１−１及び第２の調光基板１１−２は、第１位相差層３３と第２位相差層４３とが対面するように、調光装置１に収容される。
【００２８】
第１基板３１は、第１偏光層３２及び第１位相差層３３を含む第１調光フィルム３０を支持するための支持体である。第１基板３１の構成材料としては、第１偏光層３２及び第１位相差層３３を支持することができ、高い光透過性を有するものであれば特に限定されない。例えば、第１基板３１の構成材料としては、ガラス等の無機材料、ポリエチレンテレフタレート等のポリエステル系樹脂、アクリル系樹脂、ポリカーボネート樹脂、エポキシ樹脂、シリコン樹脂等の樹脂材料等が挙げられる。なお、第２基板４１は、第１基板３１と同一の構成を採用することが可能である。
【００２９】
第１偏光層３２と第２偏光層４２は、一方の直線偏光成分の光を高い透過率で透過させるとともに、一方の直線偏光成分と直交する方向に振動する他方の直線偏光成分の光を吸収する機能を有している。本実施形態において、第１偏光層３２と第２偏光層４２とは、その透過軸の向きが互いに非平行となっている。第１偏光層３２及び第２偏光層４２は、それぞれの透過軸が互いに直交するようにして、すなわちクロスニコル状態（直交ニコルとも呼ぶ）で配置されている。第１偏光層３２及び第２偏光層４２として、ポリビニルアルコールにヨウ素や二色性色素を吸着させてなる偏光層やワイヤーグリッド偏光子と称される偏光層を用いることができる。
【００３０】
第１位相差層３３及び第２位相差層４３は、例えばλ／４板で構成され、透過光の偏光状態を制御可能となっている。第１位相差層３３の第１調光領域１１１は、透過光の偏光状態に互いに異なる作用を及ぼす第１領域３４及び第２領域３５を含んでいる。第１位相差層３３は、第１領域３４と第２領域３５との間で、異なる位相変調を透過光に生じさせる。別の言い方をすれば、第１領域３４の面内遅相軸方向と第２領域３５の面内遅相軸方向とが異なる。具体的には、第１領域３４及び第２領域３５はそれぞれ、例えば、リタデーションがλ／４の位相差層から構成されている。第１位相差層３３は、第１領域３４を透過する光に対して「λ／４」の位相変調を引き起こし、第２領域３５を透過する光に対して「−λ／４」の位相変調を引き起こす。
【００３１】
第２位相差層４３は、例えば、第１位相差層３３と同様に構成される。すなわち、第２位相差層４３の第２調光領域１１２は、透過光の偏光状態に互いに異なる作用を及ぼす第３領域４４及び第４領域４５を含んでいる。第２位相差層４３は、第３領域４４と第４領域４５との間で、異なる位相変調を透過光に生じさせる。別の言い方をすれば、第３領域４４の面内遅相軸方向と第４領域４５の面内遅相軸方向とが異なる。具体的には、第３領域４４及び第４領域４５はそれぞれ、リタデーションがλ／４の位相差層から構成されている。第２位相差層４３は、第３領域４４を透過する光に対して「λ／４」の位相変調を引き起こし、第４領域４５を透過する光に対して「−λ／４」の位相変調を引き起こす。
【００３２】
なお、第１位相差層３３及び第２位相差層４３は、例えば、光配向法やラビング法により形成された配向層上に液晶層を配向させることにより、作製することができる。例えば国際公開第２０１３／０５４６７３号パンフレット、特開２０１２−１３７７２５号公報、または特開２０１２−１９８５２２号公報等に開示された製法を用いて作製され得るため、ここではこれ以上詳細な説明を省略する。
【００３３】
＜位相差層の構成＞
図４は、第１位相差層３３の構成例を示す平面図である。第１位相差層３３の第１調光領域１１１は、第１軸方向Ｘに沿って交互に配置された複数の第１領域３４及び複数の第２領域３５によって構成される。本実施形態では、第１領域３４及び第２領域３５は、第１軸方向Ｘに沿って交互に隙間なく配置され、第１軸方向Ｘに沿って同一な幅Ｗを有している。したがって、第１領域３４及び第２領域３５は、各領域の幅の２倍「Ｗ×２」となる一定ピッチでそれぞれ第１軸方向Ｘに配列されている。また、各第１領域３４及び各第２領域３５は、第１軸方向Ｘに直交する第２軸方向Ｙに直線状に延びている。なお、図４から理解されるように、第１軸方向Ｘ及び第２軸方向Ｙは、第１の調光基板１１−１の板面に平行な面内において、互いに直交する二方向を規定する。
【００３４】
図示してはいないが、第２位相差層４３も、第１位相差層３３と同様に構成することができる。第２位相差層４３の第２調光領域１１２は、第１軸方向Ｘに沿って交互に配置された複数の第３領域４４及び複数の第４領域４５によって構成される。本実施形態では、第３領域４４及び第４領域４５は、第１軸方向Ｘに沿って交互に配置され、第１軸方向Ｘに沿って同一な幅Ｗを有している。したがって、第３領域４４及び第４領域４５は、各領域の幅の２倍「Ｗ×２」となる一定ピッチでそれぞれ第１軸方向Ｘに配列されている。また、各第３領域４４及び各第４領域４５は、第１軸方向Ｘに直交する第２軸方向Ｙに直線状に延びている。
【００３５】
なお、第１調光領域１１１及び第２調光領域１１２の形状としては、特に限定されないが、例えば、短冊形状、三角形、正方形、菱形、六角形等の多角形が挙げられる。また各調光領域の配列のパターンとしては、ストライプ状、千鳥状等が挙げられる。本実施形態においては、第１調光領域１１１及び第２調光領域１１２が短冊形状であり、ストライプ状のパターンで配列されていることが好ましい。
【００３６】
上述の構成によれば、第１の調光基板１１−１を第２の調光基板１１−２に対して少なくともハーフピッチ分の幅Ｗだけ移動させることにより、光の透過状態と遮光状態とを切り替えることができる。透過状態と遮光状態との明瞭な切換えを実現するためには、第１位相差層３３の第１領域３４及び第２領域３５と第２位相差層４３の第３領域４４及び第４領域４５とが、ずれることなく重なることが望ましい。しかし、実際には、第１位相差層３３の第１領域３４及び第２領域３５と第２位相差層４３の第３領域４４及び第４領域４５とがわずかにずれる場合もあり得る。ずれが生じた場合、透過状態では黒の細い線がストライプ状に発現し、遮光状態では白の細い線がストライプ状に発現する。このような事情を考慮すると、幅Ｗが小さすぎると、ずれが生じた場合に遮光領域に対する透過領域の割合が大きくなってしまうため、外観性が良くない。一方で、幅Ｗが大きすぎると、第２の調光基板１１−２の移動量が大きくなり、第１の調光基板１１−１及び第２の調光基板１１−２を支持する支持構造が大きくなるだけでなく、移動中に第２の調光基板１１−２が撓むことにより第１の調光基板１１−１との接触による傷の発生の可能性も高くなる。したがって、幅Ｗは、好ましくは３ｍｍ以上３０ｍｍ以下、より好ましくは５ｍｍ以上２０ｍｍ以下である。なお、最も好ましい例として、幅Ｗは、１０ｍｍ以上１５ｍｍ以下である。
【００３７】
＜光の透過及び遮断（調光状態）の制御＞
図５は、第１の調光基板１１−１の第１位相差層３３と第２の調光基板１１−２の第２位相差層４３との重なり状態に応じて光の透過率が変化する機能を説明するための断面図である。
【００３８】
図５Ａに示されるように、第１位相差層３３の第１領域３４と第２位相差層４３の第３領域４４とが重なり、第１位相差層３３の第２領域３５と第２位相差層４３の第４領域４５とが重なっている。この場合、第２偏光層４２を透過した偏光成分の光は、第２位相差層４３の第３領域４４を透過するとλ／４の位相変調が起き、第２位相差層４３の第４領域４５を透過すると―λ／４の位相変調が起きる。そして、第２位相差層４３の第３領域４４を透過した光は、第１位相差層３３の第１領域３４を透過するとλ／４の位相変調が起きる。また、第２位相差層４３の第４領域４５を透過した光は、第１位相差層３３の第２領域３５を透過すると―λ／４の位相変調が起きる。つまり、第２偏光層４２を透過した光は、第１位相差層３３を透過後には±λ／２の位相変調が起き、その振動方向が±９０°だけ回転した光となって第１偏光層３２に入射することになる。図５Ａに示されるように、第２位相差層４３及び第１位相差層３３の両方を透過した光は、一方の偏光成分とは振動方向が直交する他方の偏光成分の光となっているため、第１偏光層３２を透過することができる。
【００３９】
一方、図５Ｂでは、第１位相差層３３の第１領域３４と第２位相差層４３の第４領域４５とが重なり、第１位相差層３３の第２領域３５と第２位相差層４３の第３領域４４とが重なっている。この場合、第２偏光層４２を透過した偏光成分の光は、第２位相差層４３の第４領域４５を透過すると―λ／４の位相変調が起き、第２位相差層４３の第３領域４４を透過するとλ／４の位相変調が起きる。そして、第２位相差層４３の第４領域４５を透過した光は、第１位相差層３３の第１領域３４を透過するとλ／４の位相変調が起き、また、第２位相差層４３の第３領域４４を透過した光は、第１位相差層３３の第２領域３５を透過すると―λ／４の位相変調が起きる。つまり、第２位相差層４３及び第１位相差層３３の両方を透過した後の光は、第２位相差層４３を透過する前の振動方向を維持する。したがって、図５Ｂに示されるように、第２位相差層４３及び第１位相差層３３の両方を透過した光は、一方の偏光成分の光のままであり、第１偏光層３２で吸収され、第１偏光層３２を透過することはできない。図５Ｂの場合、２枚の位相領域透過後の位相変調は０となり、振動方向は変わらない。
【００４０】
以上のように、調光装置１では、第１の調光基板１１−１と第２の調光基板１１−２との相対位置に応じて、第１領域３４と第３領域４４及び第４領域４５との重なる範囲が変化すると共に、第２領域３５と第３領域４４及び第４領域４５との重なる範囲が変化する。これにより、調光装置１においては、第１の調光基板１１−１を調光領域のハーフピッチＷの範囲内でスライド移動させて第２の調光基板１１−２との相対位置を変化させることにより、第１の調光基板１１−１及び第２の調光基板１１−２の両方を透過する光に対する、遮光する範囲と透過する範囲とを連続的に変化させることが可能となる。つまり、調光装置１の調光状態を連続的に変化させることが可能となる。
【００４１】
なお、上述した第１の調光基板１１−１及び第２の調光基板１１−２の構成は、一例に過ぎず種々の変更が可能である。以上の例に限られることなく、第１の調光基板１１−１と第２の調光基板１１−２との相対位置に応じて、調光装置１に入射する光の透過及び遮光を制御することができるものであればよい。また、本開示の実施形態では、第１偏光層３２及び第２偏光層４２がクロスニコル状態で配置される場合について説明したが、パラレルニコル状態で配置される場合には、第１位相差層３３の各領域と第２位相差層４３の各領域の対応関係は上記と逆の関係となる。
【００４２】
＜階調タイプの調光基板の構成及び機能＞
図６は、階調タイプの調光基板１１の構成例を示す概略断面図である。なお、図６では、第１の調光基板１１−１に対応する構成が示されている。なお、本明細書等では、階調タイプの調光装置とは、光の透過率が異なる状態を多階調で作り出すことが可能な調光装置をさす。
【００４３】
図６に示されるように、階調タイプの調光基板１１は、第１基板３１上に、第１偏光層３２及び第１位相差層６１が当該順で積層されて構成されている。図５に示す２値タイプの調光基板１１では、第１位相差層３３としてλ／４板を用いているが、階調タイプの調光基板１１では、第１位相差層６１としてλ／２板を用いる。そして、各第１調光領域１１１の第１位相差層６１では、透過光に生じさせる位相変調の変化量（遅相軸ともいう）が段階的に０°〜１８０°まで変化している。つまり、複数の第１調光領域１１１の各々において、面内遅相軸方向が第１軸方向Ｘに沿って段階的に変化している。また、第２調光領域１１２も同様な構成を備えている。
【００４４】
上述のように、調光装置１では、第１の調光基板１１−１と第２の調光基板１１−２との相対位置に応じて、第１調光領域１１１と第２調光領域１１２との重なる位置が変化する。これにより、調光装置１に入射してきた光の透過率を徐々に変化させることが可能となる。つまり、当該調光タイプの調光装置１では、第１の調光基板１１−１と第２の調光基板１１−２の相対位置に応じて、徐々に遮光状態になる（光の透過率が徐々に小さくなる）、又は、徐々に透過状態になる（光の透過率が徐々に大きくなる）。
【００４５】
図７は、階調タイプの調光装置１における光透過率（調光状態）の変化を説明するための図である。階調タイプの調光装置１では、第２の調光基板１１−２を固定して第１の調光基板１１−１をＸ方向にスライド移動させると、光の透過率が変化する。図７Ａは、光の透過率が最小で、最も暗い状態のときの第１の調光基板１１−１及び第２の調光基板１１−２の位置関係を示している。図７Ｃは、光の透過率が最大で、最も明るい状態のときの第１の調光基板１１−１及び第２の調光基板１１−２の位置関係を示している。図７Ｂは、光の透過率が中間のときの第１の調光基板１１−１及び第２の調光基板１１−２の位置関係を示している。なお、図７では、単純化のため偏光層と位相差層のみ示されている。また、各位相差層における遅相軸は、０°〜１８０°のうち一部のみ示されている。ここでは単位遅相軸を２２．５°としているが、これに限られず、任意に設定することが可能である。
【００４６】
（i）光の透過率が最小の状態
例えば、図７Ａに示すように、第２位相差層７１の遅相軸０°、２２．５°、４５°、・・・の領域がそれぞれ、第１位相差層６１の遅相軸９０°、１１２．５°、１３５°、・・・の領域と対向している状態では、光の透過率が最小であり遮蔽状態、すなわち暗状態となる。
【００４７】
第２の調光基板１１−２の第２偏光層４２を透過した偏光成分の光の振動方向は、第２位相差層７１の各領域を透過することによって、それぞれ０°、４５°、９０°・・・と回転する。そして、振動方向が０°の光が第１位相差層６１の遅相軸９０°の領域を通過すると、入射光の偏光軸と遅相軸のなす角度の２倍分、偏光角が回転し、その偏光角は入射光と遅相軸のなす角度の２倍分、つまり１８０°回転し、振動方向は１８０°となる。また、振動方向が４５°の光が第１位相差層６１の遅相軸１１２．５°の領域を通過すると、入射偏光角と遅相軸の関係より１３５°回転し、その振動方向は１８０°となる。さらに、振動方向が９０°の光が第１位相差層６１の遅相軸１３５°の領域を通過すると、入射偏光角と遅相軸の関係より９０°回転し、その振動方向も１８０°と変化する。このように、第１位相差層６１を透過した光の偏光方向は全て０°或いは１８０°となるため、第１偏光層３２の偏光方向と直交し、第１位相差層６１を透過した光は、第１偏光層３２によって遮断される。
【００４８】
このように、図７Ａに示された第１の調光基板１１−１と第２の調光基板１１−２との位置関係においては、第２の調光基板１１−２に入射する光は、第１の調光基板１１−１を透過せず、遮蔽状態となる。
【００４９】
（ii）光の透過率が中間値の状態
図７Ｂに示すように、例えば、第２位相差層７１の遅相軸０°、２２．５°、４５°、・・・の領域がそれぞれ、第１位相差層６１の遅相軸６７．５°、９０°、１１２．５°、・・・の領域と対向している状態では、光の透過率が中間値を取る。
【００５０】
第２の調光基板１１−２の第２偏光層４２を透過した偏光成分の光の振動方向は、第２位相差層７１の各領域を透過することによって、それぞれ０°、４５°、９０°・・・と回転する。そして、振動方向が０°の光が第１位相差層６１の遅相軸６７．５°の領域を通過すると、入射偏光角と遅相軸の関係より１３５°回転し、その振動方向は１３５°となる。また、振動方向が４５°の光が第１位相差層６１の遅相軸９０°の領域を通過すると、入射偏光角と遅相軸の関係より９０°回転し、その振動方向は１３５°となる。さらに、振動方向が９０°の光が第１位相差層６１の遅相軸１１２．５°の領域を通過すると、入射偏光角と遅相軸の関係より４５°回転し、その振動方向も１３５°となる。このように、第１位相差層６１を透過した光の偏光方向は全て１３５°となるため、第１位相差層６１を透過した光のうち第１偏光層３２の偏光方向と同じ成分の光のみが第１偏光層３２を透過することとなる。
【００５１】
このように、図７Ｂに示された第１の調光基板１１−１と第２の調光基板１１−２との位置関係においては、第２の調光基板１１−２に入射し、第２偏光層４２を透過した光の一部のみが第１の調光基板１１−１を透過し、透過状態すなわち明状態と、遮蔽状態すなわち暗状態との中間の中間状態となる。
【００５２】
（iii）光の透過率が最大の状態
図７Ｃに示されるように、例えば、第２位相差層７１の遅相軸０°、２２．５°、４５°、６７．５°、９０°・・・の領域がそれぞれ、第１位相差層６１の遅相軸４５°、６７．５°、９０°、１１２．５°、１３５°、・・・の領域と対向している状態では、光の透過率が最大で透過状態、すなわち明状態となる。
【００５３】
第２の調光基板１１−２の第２偏光層４２を透過した偏光成分の光の振動方向は、第２位相差層７１の各領域を透過することによって、それぞれ０°、４５°、９０°、１３５°、１８０°、・・・と回転する。そして、振動方向が０°の光が第１位相差層６１の遅相軸４５°の領域を通過すると、入射偏光角と遅相軸の関係より９０°回転し、その振動方向は９０°となる。振動方向が４５°の光が第１位相差層６１の遅相軸６７．５°の領域を通過すると、入射偏光角と遅相軸の関係より４５°回転し、その振動方向も９０°となる。振動方向が９０°の光が第１位相差層６１の遅相軸９０°の領域を通過すると、入射偏光角と遅相軸の関係より０°回転し、その振動方向も９０°となる。さらに、振動方向が１３５°の光が第１位相差層６１の遅相軸１１２．５°の領域を通過すると、入射偏光角と遅相軸の関係より−４５°回転し、その振動方向も９０°となる。振動方向が１８０°の光が第１位相差層６１の遅相軸１３５°の領域を通過すると、入射偏光角と遅相軸の関係より−９０°回転し、その振動方向は９０°となる。
【００５４】
このように、第１位相差層６１を透過した光の偏光方向は全て９０°或いは２７０°となるため、第１偏光層３２の偏光方向と同一となり、第１位相差層６１を透過した光は、第１偏光層３２をそのまま透過することになる。
【００５５】
このように、図７Ｃに示された第１の調光基板１１−１と第２の調光基板１１−２との位置関係においては、第２の調光基板１１−２に入射し、第２偏光層４２を透過した光は、全て第１の調光基板１１−１を透過し、透過状態となる。
【００５６】
＜パターニングされた偏光層で調光機能を実現する調光基板の構成＞
図８は、パターニングされた偏光層で調光機能を実現する第１及び第２の調光基板の構成例を示す概略断面図である。第１の調光基板１１−１は、第１基板３１と、第１基板３１上に積層された第１偏光層８１とを備えている。第２の調光基板１１−２は、第２基板４１と、第２基板４１上に積層された第２偏光層８２と、を備えている。図３で示される構成とは異なり、図８における第１の調光基板１１−１及び第２の調光基板１１−２では、パターニングされた偏光層で調光機能を実現しようとしている。
【００５７】
第１の調光基板１１−１において、第１偏光層８１が、第１軸方向Ｘに沿って偏光軸（透過軸）が異なる複数の第１調光領域１１１を備える。偏光層８１の第１調光領域１１１は、透過光の偏光状態に互いに異なる作用を及ぼす第１領域３４及び第２領域３５を含んでいる。これら第１領域３４及び第２領域３５は、偏光軸が互いに直交するように構成されている。
【００５８】
第２の調光基板１１−２においても、第２偏光層８２が、第１軸方向Ｘに沿って偏光軸が異なる複数の第２調光領域１１２を備える。第２偏光層８２の第２調光領域１１２は、透過光の偏光状態に互いに異なる作用を及ぼす第３領域４４及び第４領域４５を含んでいる。第３領域４４及び第４領域４５は、偏光軸が互いに直交するように構成されている。
【００５９】
図８に示される第１の調光基板１１−１及び第２の調光基板１１−２を用いる場合、調光装置１では、第１の調光基板１１−１と第２の調光基板１１−２との相対位置に応じて、第１偏光層８１の第１領域３４と第２偏光層８２の第３領域４４及び第４領域４５との重なる範囲が変化すると共に、第１偏光層８１の第２領域３５と第２偏光層８２の第３領域４４及び第４領域４５との重なる範囲が変化する。これにより、調光装置１は、第１の調光基板１１−１と第２の調光基板１１−２との相対位置に応じて、光の透過範囲及び遮光範囲を連続的に変化させることが可能となる。
【００６０】
＜保護層を備えた調光基板の構成＞
図９は、保護層を備えた調光基板の構成例を示す概略断面図である。第１の調光基板１１−１は、第１基板３１と、第１基板３１上に積層された、第１偏光層３２と、第１位相差層３３と、第１表面保護層９１と、を備えている。第１表面保護層９１は、第１位相差層３３の表面を保護する。第２の調光基板１１−２も、第１の調光基板１１−１と同様に、第２基板４１と、第２基板４１上に積層された、第２偏光層４２と、第２位相差層４３と、第２表面保護層９２と、を備えている。第２表面保護層９２は、第２位相差層４３の表面を保護する。第１表面保護層９１及び第２表面保護層９２として、例えば、ハードコートフィルム等を用いることができる。
【００６１】
なお、第１表面保護層９１及び第２表面保護層９２は、図８に示される調光基板にも適用可能である。すなわち、第１偏光層８１の表面に第１表面保護層９１が積層され、第２偏光層８２の表面に第２表面保護層９２が積層されてもよい。
【００６２】
＜パターン位相差層、パターン偏光層、あるいはパターン階調層の裁断のばらつき、およびそれらの基板への貼合ずれに関する考察＞
第１位相差層３３および第２位相差層４３は、例えばフィルムによって構成される。このため、第１の調光基板１１−１および第２の調光基板１１−２を作製する際には、第１偏光層３２は第１基板３１に、第２偏光層４２は第２基板４１にそれぞれ接着剤などによって貼合されることになる。
【００６３】
しかしながら、第１の調光基板１１−１と第２の調光基板１１−２に対して貼合するフィルム状の位相差層のそれぞれの裁断精度を合わせることは難しい。また、各位相差層を精度良く裁断できたとしても各基板に貼り合わせる際にずれてしまうこともある。この場合、各調光基板を筐体１０に収容し、第１の調光基板１１−１（可動）を筺体１０の内部の端部に合わせたとき、第１の調光基板１１−１の位相差層の位相差パターンと第２の調光基板１１−２（固定）の位相差層の位相差パターンがずれてしまい、明暗パターンを適正な状態（調光装置が作り出す最大の透過状態および最大の遮光状態）で作り出すことができなくなってしまう。
【００６４】
そこで、まず、第１の調光基板１１−１と第２の調光基板１１−２とにおいて位相差層のパターンがずれていた場合、適正な明暗パターンを作り出すための条件について考察する。具体的には、各調光基板の左端部（あるいは筐体１０の内部の左端部）を基準位置とし、基準位置から第１の調光基板１１−１の最左の位相差パターンの右端部（最左の位相差パターンと左から２番目の位相差パターンとの境界）までの幅Ｌ１と、基準位置から第２の調光基板１１−２の最左の位相差パターンの右端部（最左の位相差パターンと左から２番目の位相差パターンとの境界）までの幅Ｌ２との大小によって、適正な明暗パターンを作り出す条件について考える。なお、本実施形態では各調光基板の左端部を基準位置としているが、これは、可動側の第１の調光基板１１−１を左から右に移動させることにより明暗パターンを出現させる調光装置の場合だからである。従って、可動側の第１の調光基板１１−１を右から左に、上から下に、あるいは下から上に移動させることにより明暗パターンを出現させる調光装置の場合には、基準位置はそれぞれ、各調光基板の右端部、上端部、あるいは下端部となる。なお、本実施形態において、Ｌ１およびＬ２に関し、ハーフピッチＷとの大小関係は問わない。
【００６５】
（i）Ｌ１≦Ｌ２の場合
図１０は、基準位置から第２の調光基板１１−２の最左の位相差パターンの右端部までの幅Ｌ２が基準位置から第１の調光基板１１−１の最左の位相差パターンの右端部までの幅Ｌ１以上の場合の位相差パターンの関係を示す図である。
【００６６】
各調光基板が基準位置にある場合、第１の調光基板１１−１の各位相差パターンの境界と第２の調光基板１１−２の各位相差パターンの境界との間に位置ずれが生じているため、調光装置１の調光面には、透過状態の部分と遮光状態の部分が現れてしまう。パターニングされた偏光層（パターン偏光層）の場合（図８参照）には、２値タイプとして、位相差パターンと同様に、調光面には、透過状態の部分と遮光状態の部分が現れる。また、階調パターン（パターン階調層）の場合（図６および図７参照）には、調光面が中間状態（最大透過状態と最大遮光状態の中間の状態）となる。このため、調光装置１の調光面において適正な明暗パターンを出現させるためには、まず、各調光基板における位相差パターンの境界を合わせる必要がある。
【００６７】
Ｌ１≦Ｌ２の場合、第１の調光基板１１−１をＬ２−Ｌ１だけ移動させると、調光装置１の調光面が透過状態（作り出すことができる最大の透過状態）あるいは遮光状態（作り出すことができる最大の遮光状態）となる。そして、調光面の状態を切り替える（透過状態→遮光状態、あるいは遮光状態→透過状態）際には、調光装置１の調光面が透過状態／遮光状態から遮光状態／透過状態になるように、第１の調光基板１１−１をハーフピッチＷ分スライド移動させる。従って、基準位置から調光面の状態の切り替えまでに要する、第１の調光基板１１−１の移動距離は、（Ｌ２−Ｌ１＋Ｗ）となる。なお、Ｌ２−Ｌ１は２．０ｍｍ以下であることが望ましい。２．０ｍｍ程度であれば、遮光時には光漏れが気にならない程度とすることができ、また、透過時には黒線が気にならない程度とすることができるからである。
【００６８】
（ii）Ｌ１＞Ｌ２の場合
図１１は、基準位置から第１の調光基板１１−１の最左の位相差パターンの右端部までの幅Ｌ１が基準位置から第２の調光基板１１−２の最左の位相差パターンの右端部までの幅Ｌ２より大きい場合の位相差パターンの関係を示す図である。この場合もＬ１≦Ｌ２のときと同様、まずは調光装置１の調光面において適正な明暗パターンを出現させるためには、各調光基板における位相差パターンの境界を合わせる必要がある。
【００６９】
Ｌ１＞Ｌ２の場合、第１の調光基板１１−１をＷ−（Ｌ１−Ｌ２）だけ移動させると、調光装置１の調光面が透過状態（作り出すことができる最大の透過状態）あるいは遮光状態（作り出すことができる最大の遮光状態）となる。そして、調光面の状態を切り替える（透過状態→遮光状態、あるいは遮光状態→透過状態）際には、調光装置１の調光面が透過状態／遮光状態から遮光状態／透過状態になるように、第１の調光基板１１−１をハーフピッチＷ分スライド移動させる。従って、基準位置から調光面の状態の切り替えまでに要する、第１の調光基板１１−１の移動距離は、Ｗ−（Ｌ１−Ｌ２）＋Ｗとなる。
【００７０】
（iii）第１の調光基板１１−１の移動距離は、Ｌ１＞Ｌ２の場合の方がＬ１≦Ｌ２の場合よりも長くなる。従って、Ｌ１＞Ｌ２の場合、第１の調光基板の可動域が大きくなるため、筺体（フレーム）１０のサイズが大きくなり、Ｌ１≦Ｌ２の場合に比べて開口率が小さくなる。
【００７１】
また、Ｌ１＞Ｌ２の場合において、Ｌ１≦Ｌ２の場合に用いられる筐体（フレーム）と同じ構成の筐体（フレーム）に第１の調光基板１１−１および第２の調光基板１１−２を収容すると、筺体構成（例えば、枠の幅）が異なるため、透過状態および遮光状態の何れか一方を出現させることができなくなる。また、Ｌ１＞Ｌ２の場合、上述のように、Ｌ１≦Ｌ２の場合と比べて、筺体（フレーム）１０のサイズが大きくなり、調光装置１の外形に対する調光領域の割合が小さくなる。
【００７２】
以上のことを考慮すると、Ｌ１≦Ｌ２を満たすように、フィルム状の第１位相差層３３および第２位相差層４３を裁断して作製することが望ましい。ただし、以上の考察は、Ｌ１＞Ｌ２の場合を排除する意図ではない。
上述の考察では、パターン位相差層を用いた調光装置を例として説明したが、パターン偏光層（図８の場合）を用いた調光装置であっても同様である。さらにパターン階調層（図６および図７の場合）を用いた調光装置であっても、各位相差パターンの境界位置に代えて、透過状態の位置及び遮光状態の位置を用いて同様に理解できる。つまり、上記のＬ１≦Ｌ２を満たす条件は、第１の調光基板の第１端部と、第２調光基板の第２端部とを基準位置に合わせ、第１の調光基板又は第２の調光基板を第１軸に沿って移動させたときに調光装置の光透過率が増加して最大となるように変化する、又は、調光装置の光透過率が減少して最小となるに変化することにより、満たされる。
【００７３】
＜調整具による調光基板の位置調整について＞
図１２乃至１４は、筐体１０における調光基板の収容位置を調整する調整具３０１から３０３を備える調光装置１を説明するための図である。図１２は、第１の調光基板１１−１（可動）の収容位置を調整するために調整具３０１および３０２を設けた例を示している。図１３は、第１の調光基板１１−１（可動）にθ調整用調整具３０３を設ける場合に好適な形態を示す図である。図１４は、第２の調光基板１１−２（固定）の収容位置を調整するために調整具３０１および３０２を設けた例を示している。調整具３０３は、調光基板の傾き（θ）を調整する手段として設けられており、図１２および図１４では、調整具３０３は、第２の調光基板１１−２（固定）のθを調整する調整具としてのみ示されているが、第１の調光基板１１−１（可動）のθを調整する調整具としてもよい（図１３参照）。なお、図１２および図１３は、共に、Ｌ１≦Ｌ２の場合について示しているが、Ｌ１＞Ｌ２の場合であっても同様であるが、以下の説明では注意すべき点のみ明記する。また、図１２および図１４では、第１の調光基板１１−１および第２の調光基板１１−２が別の筐体に収容されているように描かれているが、これは説明の便宜上、および見やすくするためにそのように図示しているだけあって、本来は第１の調光基板１１−１および第２の調光基板１１−２は共に同一の筐体１０の中に収容されていることに注意されたい。
【００７４】
（i）第１の調光基板１１−１（可動）に調整具を設けた場合（図１２）
調整具３０１および３０２によって、第１の調光基板１１−１（可動）の筐体１０の中におけるＸ方向の移動範囲を調整（規制）することができる。筐体１０の側面部（調光基板のスライド方向に垂直な面）には、少なくとも１つ（好ましくは複数）の貫通穴（ネジ穴）が設けられ、例えばイモネジ（クランピングスクリューとも言う）やボールプランジャーなどで構成される調整具３０１および３０２が当該貫通穴に締結される。なお、調整具３０１および３０２と筺体１０との詳細な関係については後述する（図１５参照）。
【００７５】
調光装置１を組み立てる際、筺体１０に第１の調光基板１１−１および第２の調光基板１１−２を配置し、例えば専用のドライバーなどを用いて上記調整具３０１が左基準面１０２から突出する量を調整することができる。これにより、第１の調光基板１１−１の移動基準位置、つまり第１の調光基板１１−１の左端が調整具３０１に当たる位置（調整具３０１の突出端部）を移動／変更させることができ、また、第１の調光基板１１−１における位相差パターンの各境界と第２の調光基板１１−２における位相差パターンの各境界とを合わせることができるようになる。調整具３０１が左基準面１０２から突出していない場合には、左基準面１０２が第１の調光基板１１−１の移動基準位置となるが、調整具３０１が左基準面１０２から突出する場合には、調整具３０１の突出端部が第１の調光基板１１−１の移動基準位置となる。
【００７６】
また、例えば専用のドライバーなどを用いて、調整具３０２が右基準面１０３から突出する量を調整することができる。これにより、第１の調光基板１１−１の移動停止位置、つまり第１の調光基板１１−１が調整具１０３の突出端部に当たる位置を移動させることができる。ただし、移動停止位置を決める場合、第１の調光基板１１−１が移動停止位置に当って止まっている状態で、第１の調光基板１１−１の位相差パターンの各境界の位置と第２の調光基板１１−２の位相差パターンの各境界の位置とが一致するように調整具３０２の突出量を調整する必要がある。調整具３０２が右基準面１０３から突出していない場合には、右基準面１０３が第１の調光基板１１−１の移動停止位置となるが、調整具３０２が右基準面１０３から突出する場合には、調整具３０２の突出端部が第１の調光基板１１−１の移動停止位置となる。
【００７７】
さらに、調光装置１は、第１の調光基板１１−１と第２の調光基板１１−２との相対的な傾きθを調整するθ調整用調整具３０３を備えている。第１の調光基板１１−１の移動範囲を調整具３０１および３０２によって変更しても、２つの調光基板が相対的に傾いているため位相差パターンを揃えることができないとき、θ調整用調整具３０３が筐体１０の下端部１０４から突出する量を調整することにより、傾きによる位相差パターンの不一致を修正することができるようになる。このθ調整用調整具３０３は、第２の調光基板１１−２（固定）および第１の調光基板１１−１（可動）のどちらか少なくとも一方の傾きを調整（θ調整）するために設けられる。ただし、好ましくは、第２の調光基板１１−２（固定）の傾きを調整するようにした方が、調光基板を傷つける心配がない。第１の調光基板１１−１（可動）にθ調整用調整具３０３を設けると、当該基板のスライド移動によって、当該基板とθ調整用調整具３０３とが擦れてしまうからである。このため、図１３に示されるように、第１の調光基板１１−１（可動）にθ調整用調整具３０３を設ける場合には、θ調整用調整具３０３と第１の調光基板１１−１との間にスライド板１０７を設けてもよい。当該スライド板１０７により、第１の調光基板１１−１とθ調整用調整具３０３とが直接接触することがなくなるので、スライド移動によって第１の調光基板１１−１が傷つくことを防止することができるようになる。なお、図１２に示されるように、第２の調光基板１１−２（固定）に設ける場合には、筺体１０と第２の調光基板１１−２との間に多少の遊びが必要である。つまり、筐体１０における第２の調光基板１１−２を収容する部分のサイズを第２の調光基板１１−２のサイズよりも多少大きく構成する必要がある。また、θ調整用調整具３０３は、調整具３０１および３０２と同様、イモネジ（クランピングスクリューとも言う）やボールプランジャーなどで構成することができる。
【００７８】
第２の調光基板１１−２（固定）にθ調整用調整具３０３を設ける場合、θ調整後に第２の調光基板１１−２を第２の調光基板１１−２（固定）の側面（θ調整用調整具３０３の移動方向（Ｙ軸方向）と直交する方向（Ｘ軸方向））から固定具（図示せず）によって固定することが好ましい。また、この場合、第１の調光基板１１−１（可動）に対して調整具３０１および３０２を設け、位相差パターンを合わせることができる（第１の調光基板１１−１（可動）のスライド移動量をＷに固定する）ようにすることが好ましい。
【００７９】
第１の調光基板１１−１（可動）にθ調整用調整具３０３を設ける場合、Ｌ１≦Ｌ２のときには、第２の調光基板１１−２（固定）に対しては調整具３０１および３０２を必ずしも設けなくてもよい。一方、Ｌ１＞Ｌ２のときには、第２の調光基板１１−２（固定）の位置を調整することによりＬ１とＬ２の差を相殺できるため、第２の調光基板１１−２（固定）に対して調整具３０１および３０２を設ける必要がある。
【００８０】
以上説明した調整具３０１、３０２および３０３は、例えば、金属製のネジで構成することができるが、樹脂製のネジで構成してもよい。調整具３０１および３０２を樹脂製のネジで構成すれば、第１の調光基板１１−１が移動基準位置の調整具３０１や移動停止位置の調整具３０２と接触あるいは衝突する際に生じる音を低減することができる。さらに、例えば第１の調光基板１１−１をガラスで構成した場合には、第１の調光基板１１−１と調整具３０１および３０２とが接触することによって第１の調光基板１１−１を破損させてしまう可能性を少なくすることができる。また、θ調整用調整具３０３を樹脂製のネジで構成すれば、θを調整する際に第２の調光基板１１−２の下端部分を破損する可能性を低下させることができる。
【００８１】
Ｌ１≦Ｌ２の場合、第１の調光基板１１−１の切り替え移動距離Ｄが、０＜Ｄ≦Ｗ／２となる。一方、Ｌ１＞Ｌ２の場合、切り替え移動距離Ｄが、Ｗ／２≦Ｄ＜Ｗとなる。なお、調整具の可動域Ｐに関しては任意に設定可能である。
【００８２】
（ii）第２の調光基板１１−２（固定）に調整具を設けた場合（図１４）
調整具３０１および３０２によって、第２の調光基板１１−２（固定）の筐体１０の中における収容位置を調整（変更）することができる。筐体１０の側面部（調光基板のスライド方向に垂直な面）には、少なくとも１つ（好ましくは複数）の貫通穴（ネジ穴）が設けられ、例えばイモネジ（クランピングスクリューとも言う）やボールプランジャーなどで構成される調整具３０１および３０２が当該貫通穴に締結される。第２の調光基板１１−２は、筺体１０においてスライド移動しないように収容されるが、調整具３０１および３０２によって収容位置を調整（変更）するには、筺体１０と第２の調光基板１１−２との間にハーフピッチ（Ｗ／２）分の余裕が必要である。つまり、筐体１０における第２の調光基板１１−２を収容する部分のサイズを第２の調光基板１１−２のサイズよりもハーフピッチ分大きく構成する必要がある。
【００８３】
調光装置１を組み立てる際、筺体１０に第１の調光基板１１−１および第２の調光基板１１−２を配置し、例えば専用のドライバーなどを用いて上記調整具３０１が左基準面１０２から突出する量を調整することができる。これにより、第２の調光基板１１−２の筐体１０における収容位置を変更することができ、また、第１の調光基板１１−１における位相差パターンの各境界と第２の調光基板１１−２における位相差パターンの各境界とを合わせることができるようになる。調整具３０１が左基準面１０２から突出していない場合には、左基準面１０２が第２の調光基板１１−２の左端収容位置となるが、調整具３０１が左基準面１０２から突出する場合には、調整具３０１の突出端部が第２の調光基板１１−２の左端収容位置となる。
【００８４】
また、例えば専用のドライバーなどを用いて、調整具３０２が右基準面１０３から突出する量を調整することができる。これにより、第２の調光基板１１−２の右端収容位置、つまり第２の調光基板１１−２の右側端部が調整具１０３の突出端部に当たる位置を移動させることができる。調整具３０２が右基準面１０３から突出していない場合には、右基準面１０３が第２の調光基板１１−２の右端収容位置となるが、調整具３０２が右基準面１０３から突出する場合には、調整具３０２の突出端部が第２の調光基板１１−２の右端収容位置となる。
【００８５】
なお、調整具３０１及び３０２、およびθ調整用調整具３０３を金属製ネジあるいは樹脂製ネジで構成すること、樹脂製ネジで構成する場合のメリット、およびθ調整用調整具３０３の機能については図１２の場合と同様であるため、説明は省略する。
【００８６】
＜調整具締結用貫通穴（ネジ穴）の筐体における位置＞
図１５は、調光装置１の筐体１０における、調整具３０１から３０３を締結するための貫通穴（ネジ穴）の配置例を示す図（筐体１０の横断面図）である。図１５Ａは、筺体１０の側面に設けられた、調整具３０１または３０２を締結するための貫通穴の位置（例）を示す図（筐体１０の下断面図）である。図１５Ｂは、筺体１０の底面に設けられた、θ調整用調整具３０３を手活けするための貫通穴の位置（例）を示す図である。
【００８７】
（i）調光基板の移動範囲あるいは収容位置を規定する調整具用貫通穴（ネジ穴）の配置例について
図１５Ａに示されるように、調光装置１の筺体１０の両側面部には、第１の調光基板１１−１の移動範囲あるいは第２の調光基板１１−２の収容位置を規制する調整具３０１および３０２を締結するための貫通穴（ネジ穴）４０１が設けられている。図１５Ａには、１つの側面に１つの貫通穴（ネジ穴）４０１が設けられた例が示されているが、複数個の貫通穴（ネジ穴）４０１を設けても良い（図１４参照）。
【００８８】
貫通穴（ネジ穴）４０１は、Ｘ方向において、その中心が筺体１０の中央線４０２よりも第１の調光基板１１−１側あるいは第２の調光基板１１−２側にシフトしており、かつ、その端部が中央線４０２と干渉しない位置に設けられる。貫通穴（ネジ穴）４０１が中央線４０２と干渉すると、調整具３０１および３０２が第１の調光基板１１−１（可動）および第２の調光基板１１−２（固定）の両方に接触する可能性があるからである。
【００８９】
また、貫通穴（ネジ穴）４０１を１つ設ける場合、Ｙ方向における貫通穴（ネジ穴）４０１の位置は、筺体１０の側面の中央付近となるように設定することが好ましい。貫通穴（ネジ穴）４０１が複数の場合には、筺体１０の側面にバランスよくそれらを設けることが望ましい。例えば、２つの貫通穴（ネジ穴）４０１の場合、それぞれを筐体１０の天面１０６および底面１０７から等距離となるように筐体１０の側面に設けることができる。また、例えば、３つ以上の場合には、貫通穴（ネジ穴）４０１を等間隔に筐体１０の側面に設けることができる。
【００９０】
例えば、筐体１０の全体の厚み、即ち調光装置１の厚みをａ１ｍｍ、中央線４０２から筐体端面までの厚みをａ２ｍｍ、筐体１０が備える、調光装置１の開口部を規定する周縁部１０５の厚みをａ３ｍｍとすると、ａ２＝ａ１／２であり、各調光基板の幅はａ２−ａ３となる。従って、調整具３０１および３０２と貫通穴（ネジ穴）４０１の径は、ａ２−ａ３の範囲内になるように設定される。ただし、この範囲ぎりぎりに調整具３０１および３０２のサイズを設定すると、筺体１０の調光基板の収容スペースに多少の遊びがある場合、即ちａ１−２×ａ３が第１の調光基板１１−１の厚さ＋第２の調光基板１１−２の厚さよりも大きい場合、調整具３０１あるいは３０２に、調整対象となっていない調光基板１１−１あるいは１１−２が接触する可能性がある。このため、調整具３０１および３０２の径と貫通穴（ネジ穴）４０１の径は、ａ２−ａ３の値からさらに収容スペースの遊び分を差し引いた値よりも小さくすることが好ましい。
【００９１】
（ii）調光基板の傾き（θ）を調整するθ調整用調整具の貫通穴（ネジ穴）の配置例について
一方、図１５Ｂに示されるように、筐体１０の底面には、θ調整用調整具３０３を調光装置１の締結するための貫通穴（ネジ穴）４０３が設けられている。図１５Ｂには、筺体１０の底面に２つの貫通穴（ネジ穴）４０３が設けられた例が示されているが、１つのみ貫通穴（ネジ穴）４０３を設けても良い。ただし、この場合、１方向（時計回り、あるいは反時計回り）のみに対する傾き（θ）の調整に対応することになる。θ調整用の貫通穴（ネジ穴）４０３は、θ調整を行う調光基板を収容する側の底面に設けられる。上述したように、θ調整する調光基板は、第１の調光基板１１−１（可動）であっても第２の調光基板１１−２（固定）であってもよい。ただし、ここでは第２の調光基板１１−２（固定）を収容する側の底面に設ける場合を例としている。
【００９２】
貫通穴（ネジ穴）４０３は、Ｙ方向において、その中心が筺体１０の中央線４０４よりも第２の調光基板１１−２（固定）側にシフトしており、かつ、その端部が中央線４０４と干渉しない位置に設けられる。貫通穴（ネジ穴）４０３が中央線４０４と干渉すると、調整具４０３が第１の調光基板１１−１（可動）および第２の調光基板１１−２（固定）の両方に接触する可能性があるからである。また、貫通穴（ネジ穴）４０３を２つ設ける場合、Ｘ方向における貫通穴（ネジ穴）４０３の位置は、筺体１０の底面端部１０８および１０９から等距離であることが好ましい。また、貫通穴（ネジ穴）４０３を筐体１０の底面の長手方向の中心１１０付近に設けると、第２の調光基板１１−２（固定）の傾き（θ）調整が困難となる可能性があるため、なるべく中心１１０から離れた位置に貫通穴（ネジ穴）４０３を設けるのが好ましい。貫通穴（ネジ穴）４０３が１つ、つまりθ調整用調整具３０３を１つだけ用いる場合、底面端部１０８あるいは１０９に近い位置に貫通穴（ネジ穴）４０３を設けるのが好ましい。
【００９３】
＜調整具の特徴について＞
上述のように、調整具は３０１から３０３は、金属製あるいは樹脂製のイモネジ（クランピングスクリューとも言う）やボールプランジャーなどで構成される。しかし、このようなイモネジやボールプランジャーには、少しネジを回すだけで大きく進む（基準位置から突出する）ものもあれば少ししか進まないものがある。本実施形態における調光装置１において、どの程度ネジを回せば筐体１０内部の端部（左端部、右端部、底面部）から調整具３０１から３０３がどの程度突出させるかは、第１の調光基板１１−１（可動）のスライド範囲である可動域をどの位に設定するかに依存することである。ごく僅かな値での移動スパン設定を可能にするには、少しネジを回すだけで大きく突出するようなイモネジ等を選択しない方がよい。つまり、フィルム状の位相差層の裁断精度や基板への貼合精度を高くして上記Ｌ１とＬ２とのずれ（大きさの差）を小さくできたとしても、調整具の応答性能が悪いとＬ１とＬ２のずれを調整して各位相差層の境界の位置を合わせることはできない。従って、本実施形態の調光装置１に調整具３０１から３０３として用いるイモネジは市販されているイモネジ等であれば何でも良いというものではなく、実際に調光装置１に用いる調整具（イモネジ等）としては、突出度合の微調整が可能な、ピッチが細かいイモネジ等を使用することが好ましい。
【００９４】
＜取っ手部を設けた調光基板＞
図１６は、取っ手部を設けた調光基板１１の構成例を示す図である。取っ手部１２を調光基板１１に設ける第１の形態として、図１６Ａに示されるように、取っ手部１２を調光基板１１の窓面（調光面ともいう）に設けることができる。また、第２の形態として、図１６Ｂに示されるように、サッシ枠が取り付けられた調光基板１１において、取っ手部１２を調光面外であるサッシ枠に設けることができる。取っ手部１２の側面は、所定の移動方向に非平行な傾斜面部１２ａ、１２ｂを有している。図１６Ａ又は図１６Ｂに示される取っ手部１２の側面は、所定の移動方向に直交している。図１６Ａ又は図１６Ｂに示される調光基板１１を第１の調光基板１１−１（可動）とし、図１６Ａ又は図１６Ｂに示される調光基板１１と同様の構成を有するが取っ手部１２が設けられていない調光基板を第２の調光基板１１−２（固定）として、これら２つの調光基板を筐体１０に収容することにより、図１に示す調光装置１が完成する。なお、取っ手部１２は、調光精度を出すために、調光基板を筐体１０に収容した後に取り付けても良い。また、取っ手部１２は、第１の調光基板１１−１（可動）と第２の調光基板１１−２（固定）の調光領域（位相差パターン）の境界を一致させた状態から少なくともハーフピッチＷ分の距離だけ第１の調光基板１１−１（可動）をスライド移動できるように、取り付けることが好ましい。
【００９５】
取っ手部１２は金属、ガラス、或いは樹脂を所望の形状に加工することにより作製される。そして、作製された取っ手部１２を調光基板１１の窓面（調光面）或いはサッシ枠の表面に貼り付けることにより、図１６に示される調光基板１１が完成する。
【００９６】
図１６Ａに示されるように、取っ手部１２を調光基板１１の調光面に取り付ける場合、テープや接着剤等の接着層１２ｃによって取っ手部１２を調光基板１１の調光面に貼合して固定する。透明なガラスや樹脂で取っ手部１２を作製する場合、例えば、透明な接着層１２ｃを介して取っ手部１２を調光基板１１の調光面に貼合するのが好ましい。取っ手部１２及び接着層１２ｃが透明であるため、筐体の開口部に位置する調光基板１１の調光機能を妨げる程度が低いからである。なお、取っ手部１２は、テープや接着剤により後付けするようにしても良いが、調光基板１１の一部として一体成形で構成しても良い。
【００９７】
図１６Ｂに示されるように、取っ手部１２を調光基板１１のサッシ枠に取り付ける場合、必ずしも透明材料で取っ手部１２を構成する必要はなく、木、プラスチック、金属等の透明ではない材料を用いたとしても調光基板１１の調光面における調光機能を妨げることはない。ただし、取っ手部１２をサッシ枠に取り付ける場合には調光基板１１の調光面の面積は、調光基板１１の大きさが同一であるという条件下では、調光基板１１の調光面に直接取っ手部１２を設けたときの調光面の面積よりも小さい。取っ手部１２をサッシ枠に取り付ける場合、接着剤やテープを用いても良いし、ネジ止めしても良い。なお、取っ手部１２は、テープや接着剤によりサッシ枠に後付けするようにしても良いが、調光基板１１のサッシ枠の一部として一体成形で構成しても良い。また、取っ手部１２のサイズは、指等の引っ掛け易さ、取っ手部１２の取り付け強度、及び安全性を考慮すると、例えば、調光装置１の窓面の縦の長さの１０％〜５０％程度の長さであることが好ましい。
【００９８】
取っ手部１２を形成する材料としては、例えば、ガラス、アクリル系樹脂、ポリカーボネート樹脂、金属、木、プラスチック、ゴムなどを採用することができる。ただし、光の透過率を高くすることを重視する場合には、ガラス、アクリル系樹脂を用いることが好ましい。この場合、調光装置１の調光機能を高めるため、例えば、取っ手部１２はそのものの透過率を８０％以上とすることが好ましい。また、取っ手部１２を含む調光基板の透過率を、２０％以上とすることが好ましい。このような構成にすることにより、明状態における外観美が維持される。耐熱性が要求される場所に調光装置１を設置する場合に、樹脂製の取っ手部１２を用いる場合には、材料としてアクリル系樹脂やポリカーボネート樹脂を採用することができる。
【００９９】
さらに、取っ手部１２に蓄光機能を持たせたい場合には、蓄光材料を取っ手部１２に塗布したり、取っ手部１２を形成する際に取っ手部１２の材料に蓄光材料を混ぜたりすればよい。蓄光材料としては、例えば、硫化亜鉛、アルミン酸ストロンチウム等を用いることができる。取っ手部１２が蓄光機能を持つことにより、暗い環境においても取っ手部１２の位置をユーザが容易に認識することができる。
【０１００】
以上のように、少なくとも第１の調光基板１１−１（可動）の窓面に取っ手部１２を設けることにより、ユーザは窓面に直接手を触れる必要性がなくなり、窓面が汚れることを防止することが可能となる。また、取っ手部１２が設けられていない場合には、窓面を指で押圧しながら第１の調光基板１１−１（可動）をスライドさせることになるが、この場合、第１の調光基板１１−１（可動）と第２の調光基板１１−２（固定）とが接触して擦れることにより調光基板面にキズが形成される可能性がある。しかし、取っ手部１２を設けることにより、このような危険性を回避することができる。
【０１０１】
さらに、窓面を指で直接触れて第１の調光基板１１−１をスライドさせる場合、第１の調光基板１１−１（可動）と第２の調光基板１１−２（固定）のそれぞれに形成された調光領域のピッチを精度よく合わせることは非常に困難である。しかし、第１の調光基板１１−１（可動）が調光領域のハーフピッチＷ分だけスライド移動できるように取っ手部１２を第１の調光基板１１−１（可動）の窓面に設けているので、調光領域のピッチを精度よく合わせることができ、良好な調光機能を提供することできるようになる。
【０１０２】
＜調光基板の筐体への収容について＞
図１７は、筺体１０の案内レールに第１の調光基板１１−１（可動）及び第２の調光基板１１−２（固定）を収容する様子を示す図である。
【０１０３】
調光装置１の筐体１０は、第１の調光基板１１−１（可動）及び第２の調光基板１１−２（固定）を保持し、これらをＸ方向に沿った移動を可能にする案内レール１５０を備えている。図１７は、筺体１０の下枠における案内レールのみを示しているが、筺体１０の上枠、左枠、右枠等にも略同様の案内レールが設けられていることに留意すべきである。
【０１０４】
案内レール１５０は、断面Ｕ字状である。第１の調光基板１１−１及び第２の調光基板１１−２の移動手段としては、公知の移動手段を採用することができる。例えば、第１の調光基板１１−１及び第２の調光基板１１−２が案内レール１５０に直接接触しながらスライドする構成でもよい。また、図１６Ｂに示されるように、第１の調光基板１１−１（可動）及び第２の調光基板１１−２（固定）がサッシ構造を有する場合、そのサッシ枠にスライド動作によって適宜回転するローラを設け、当該ローラが案内レール１５０上を滑走するような構成でもよい。
【０１０５】
本実施形態では、少なくとも第１の調光基板１１−１（可動）がスライド移動可能となっているため、第１の調光基板１１−１（可動）及び第２の調光基板１１−２（固定）の表面がスライド移動によって擦れてキズが付かないように、それぞれの間に所定の間隔があることが望ましい。そこで、本開示では、第１の調光基板１１−１と第２の調光基板１１−２との間にギャップ構成手段を設けている。図１８は、図１７に示す調光装置１のＡ−Ａ断面であって、第１の調光基板１１−１と第２の調光基板１１−２との間にギャップ構成手段の例を示す図である。
【０１０６】
図１８Ａは、当該ギャップ構成手段を、図１Ｄにも示したように、テープ２０で構成した場合の例を示している。図１８Ａの例では、第１の調光基板１１−１及び第２の調光基板１１−２の上下端部に、両基板のすべりを良くするためのテープ２０が貼られている。テープ２０は、所定の厚さを有するため、第１の調光基板１１−１と第２の調光基板１１−２との間のスペーサとしても機能する。
【０１０７】
図１８Ｂは、当該ギャップ構成手段を、スペーサ１６０で構成した場合の例を示している。図１８Ｂの例では、当該スペーサ１６０は、第１の調光基板１１−１に取り付けられているが、第２の調光基板１１−２に取り付けても良い。スペーサ１６０は、例えば、板状の部材を用いることができる。また、スペーサ１６０は、その板状の部材の長手方向がＸ方向に沿うように配置されてもよい。さらに、スペーサ１６０は、複数の部材で構成されてもよく、例えば、複数のスペーサが、所定の間隔でＸ方向に沿って配置されてもよい。また、スペーサ１６０の表面は摩擦性が小さい材料で構成されるのが好ましい。このため、スペーサ１６０の表面にテープ２０を貼付しても良い。
【０１０８】
＜凹部（ざくり）を設けた調光基板の構成＞
取っ手部１２の代わりに、第１の調光基板１１−１（可動）に凹部（ざぐり）を設けてスライド移動可能にしてもよい。
【０１０９】
図１９は、凹部（ざくり）を設けた第１の調光基板１１−１（可動）の構成を説明するための図である。図１９Ａは凹部（ざくり）を備える第１の調光基板１１−１（可動）の外観構成を示し、図１９Ｂは図１９ＡのＢ−Ｂ断面を示す図である。図１９Ｃは、サッシ枠を有する第１の調光基板１１−１（可動）のＢ−Ｂ断面を示す図である。以上のように、凹部１７０は調光基板１１の調光に貢献する領域、及びそれ以外の領域の何れに設けられていてもよい。なお、第１の調光基板１１−１（可動）と第２の調光基板１１−２（固定）の内部構造や、第１の調光基板１１−１（可動）と第２の調光基板１１−２（固定）の位置関係によって調光状態が変化するのは上述と同様であり、ここではそれらの説明については省略する。
【０１１０】
凹部１７０の側面は、所定の移動方向に平行な線分と非平行な傾斜面部１７０ａ、１７０ｂを有する。図１９Ｂでは凹部１７０が第１の調光基板１１−１（可動）にある形態が開示されている。凹部１７０は、例えば、第１の調光基板１１−１（可動）をざぐり加工して形成したり、凹部１７０を有する第１の調光基板１１−１（可動）を一体成形したりすることにより形成することができる。図１９Ｂでは凹部１７０が第１の調光基板１１−１（可動）外にある形態が開示されている。凹部１７０は、例えば、サッシ枠をざぐり加工して形成することができる。また、凹部１７０は、調光装置１の窓面であればどこでも形成することが可能であるが、ユーザの使い勝手を考慮すると、調光装置１の窓面の上下左右端部の何れかの箇所であって、第１の調光基板１１−１（可動）を調光装置１の筐体１０に収容したときに内枠近傍に位置するように形成することが望ましい。
【０１１１】
凹部１７０の深さは、特に制限はなく、凹部１７０が第１の調光基板１１−１（可動）を厚み方向に貫通するように設けられていてもよい。スライド方向に沿う凹部１７０の幅は、特に制限はないが、例えば、５ｍｍ以上５０ｍｍ以下とするとよい。凹部１７０の幅を５ｍｍ以上にすると、ユーザの指等が凹部１７０の側面に接触しやすくなりスライドをさせやすくなる。凹部１７０の幅を５０ｍｍ以下とすると凹部１７０により、凹部１７０が調光面にある場合に調光装置１の美観が低下してしまうのを抑制でき、また、凹部１７０が調光面外にある場合にサッシ枠の領域の大型化を回避できるからである。なお、凹部１７０の平面視形状は、矩形に限定されることはなく、例えば、多角形、円形等の任意の形状を採用することができる。
【０１１２】
以上のように、調光装置１の窓面に凹部１７０を設けることにより、ユーザはその凹部１７０に指を引っ掛けて第１の調光基板１１−１（可動）をスライド移動させることができる。よって、ユーザは窓面の凹部１７０以外の他の部分に直接手を触れる必要性がなくなり、窓面が汚れることを防止することが可能となる。また、凹部１７０が設けられていない場合には、窓面を指で押圧しながら第１の調光基板１１−１をスライドさせることになるが、この場合、第１の調光基板１１−１（可動）と第２の調光基板１１−２（固定）とが擦れることにより調光基板面にキズが形成される可能性がある。しかし、凹部１７０を窓面の端部付近に設けることにより、このような危険性を回避することができる。
【０１１３】
＜まとめ＞
（i）本開示の実施形態による調光装置１は、例えば、住宅用窓、パーティション、間仕切り、住宅用天窓、自動車のサンルーフ等に用いることができる。調光装置１が住宅用窓、パーティション、間仕切り等に適用される場合、第１の調光基板１１−１（可動）及び第２の調光基板１１−２（固定）は、地面に対し垂直ないし斜めに配置されるように構成されてもよい。また、調光装置１が住宅用天窓や自動車のサンルーフ等に適用される場合、第１の調光基板１１−１（可動）及び第２の調光基板１１−２（固定）は、地面に対し斜めないし平行に配置されるように構成されてもよい。したがって、上述の説明の「上」と「下」の関係は、「天」と「地」の関係に限らない。さらに、調光装置１は、第１の調光基板１１−１（可動）及び第２の調光基板１１−２（固定）という２つの調光基板を有する形態に限らない。なお、第１の調光基板１１−１（可動）を地面に対し垂直方向ないし斜め方向にスライド移動させる形態の場合、透過状態あるいは遮光状態を構成するポジションを維持するために、保持第１の調光基板１１−１（可動）を保持する機構を設けるようにしてもよい。
【０１１４】
（ii）本実施形態による調光装置１では、第１の調光基板１１−１の第１左端部と、当該第１左端部に最も近接する第１調光領域の第１領域３４と第２領域３５の境界と、の距離をＬ１、第２の調光基板１１−２の第２左端部と、当該第２左端部に最も近接する第２調光領域の第３領域４４と第４領域４５との境界と、の距離をＬ２、としたとき、第１の調光基板１１−１と第２の調光基板１１−２とは、Ｌ１≦Ｌ２の関係を満たすように構成される。なお、ここでは「左」端部としているが、「右」「上」「下」端部等、どの方向であってもよい。このようにすることにより、調光領域を構成するフィルム状（一例）の位相差層シートの裁断精度の差異や各基板に対する貼合精度の差異から生じる、調光装置１における窓面における明暗パターンのずれを解消することが可能となる。例えば、Ｌ１≦Ｌ２となるように位相差層シートを裁断および各基板へ貼合し、明暗パターンのずれを解消できる第１の調光基板１１−１（可動）のスライド開始位置および終了位置や第２の調光基板１１−２（固定）の筐体１０内における収容位置を調整する。スライド移動範囲の調整は、例えば、調光装置１の窓面を形成する第１の調光基板１１−１の表面にストッパや取っ手部などを取り付けることにより実現することができる。これにより、明暗パターンのずれを修正することができる。また、第１の調光基板１１−１のスライド移動範囲あるいは第２の調光基板１１−２の収容位置を調整する手段として、筐体１０に調整具３０１および３０２を設けてもよい。そして、第１の調光基板１１−１および第２の調光基板１１−２を筐体１０に収容した後に、調整具３０１および３０２を用いて、スライド移動範囲や収容位置を調整するようにしてもよい。このようにすることにより、各調光基板を筐体１０に収容した後であっても、容易に調光基板のスライド移動範囲を調整したり、収容位置を調整したりすることが可能となる。従って、調光装置１の製造工程を簡略化することができるし、ユーザがスライド移動範囲や収容位置の調整を実施する余地を残すことができる。
【符号の説明】
【０１１５】
１  調光装置
１０  筐体
１１  調光基板
１１−１  第１の調光基板
１１−２  第２の調光基板
１２  取っ手部
２０  テープ
３０  第１調光フィルム
３１  第１基板
３２  第１偏光層
３３  第１位相差層
３４  第１領域
３５  第２領域
４０  第２調光フィルム
４１  第２基板
４２  第２偏光層
４３  第２位相差層
４４  第３領域
４５  第４領域
１１１  第１調光領域
１１２  第２調光領域
３０１および３０２  調整具
３０３  θ調整用調整具
１７０  凹部
１７０ａ，１７０ｂ  傾斜面部
【図１】
2018146846.tif 000003
【図２】
2018146846.tif 000004
【図３】
2018146846.tif 000005
【図４】
2018146846.tif 000006
【図５】
2018146846.tif 000007
【図６】
2018146846.tif 000008
【図７】
2018146846.tif 000009
【図８】
2018146846.tif 000010
【図９】
2018146846.tif 000011
【図１０】
2018146846.tif 000012
【図１１】
2018146846.tif 000013
【図１２】
2018146846.tif 000014
【図１３】
2018146846.tif 000015
【図１４】
2018146846.tif 000016
【図１５】
2018146846.tif 000017
【図１６】
2018146846.tif 000018
【図１７】
2018146846.tif 000019
【図１８】
2018146846.tif 000020
【図１９】
2018146846.tif 000021